【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
複数の画像を含む１つのファイルの出力指示をユーザから受け付ける受付手段と、
前記受付手段が前記出力指示を受け付けたことに応じて、当該出力指示により出力が指示されたファイルに含まれる複数の画像のうち少なくとも１つの画像を出力する出力手段と、
前記出力指示により出力が指示されたファイルに含まれる複数の画像のうち、互いに関連する複数の画像を特定し、当該特定した複数の画像の中から少なくとも１つの画像を選択する選択手段と、
前記出力指示により出力が指示されたファイルに含まれる複数の画像のうち、前記選択手段により選択された画像を前記出力手段に出力させる制御手段と、
を備えることを特徴とする画像処理装置。
【請求項２】
前記選択手段は、前記出力指示により出力が指示されたファイルに含まれる各画像の種類に基づいて、互いに関連する複数の画像を特定することを特徴とする請求項１に記載の画像処理装置。
【請求項３】
前記出力手段は、前記選択手段により選択された画像を含み、前記選択手段により選択されなかった画像を含まない、１つのファイルを出力することを特徴とする請求項１または２に記載の画像処理装置。
【請求項４】
前記選択手段が画像を選択するための条件を設定する設定手段を更に備え、
前記選択手段は、前記互いに関連する複数の画像の中から、前記設定手段により設定された条件に該当する少なくとも１つの画像を選択することを特徴とする請求項１から３のいずれか１項に記載の画像処理装置。
【請求項５】
前記互いに関連する複数の画像とは、同一内容のカラー画像及びモノクロ画像であって、
前記設定手段は、前記互いに関連する複数の画像の中からモノクロ画像が選択されるようにするための第１の条件を設定することが可能であって、
前記設定手段により前記第１の条件が設定されている場合は、前記選択手段は、前記互いに関連する複数の画像の中からモノクロ画像を選択することを特徴とする請求項４に記載の画像処理装置。
【請求項６】
前記互いに関連する複数の画像とは、内容が同一で解像度が異なる複数の画像であって、
前記設定手段は、前記互いに関連する複数の画像の中から所定の解像度よりも高い解像度の画像が選択されるようにするための第２の条件を設定することが可能であって、
前記設定手段により前記第２の条件が設定されている場合は、前記選択手段は、前記互いに関連する複数の画像の中から前記所定の解像度よりも高い解像度の画像を選択することを特徴とする請求項４に記載の画像処理装置。
【請求項７】
前記互いに関連する複数の画像の中に、前記設定手段により設定された条件に該当する画像が含まれていない場合に、前記選択手段は、前記互いに関連する複数の画像のうち、予め主画像として指定されている１つの画像を選択することを特徴とする請求項４から６のいずれか１項に記載の画像処理装置。
【請求項８】
前記出力手段による画像の出力先を登録する登録手段を更に備え、
前記設定手段は、前記登録手段により登録されている出力先毎に、前記選択手段が画像を選択するための条件を設定することが可能であって、
前記選択手段は、前記出力指示により出力が指示されたファイルの出力先に応じた条件に従って画像を選択することを特徴とする請求項４から７のいずれか１項に記載の画像処理装置。
【請求項９】
前記設定手段は、複数の出力方法のそれぞれに対応付けて、前記選択手段が画像を選択するための条件を設定することが可能であって、
前記選択手段は、前記出力指示により出力が指示されたファイルを出力する際に用いられる出力方法に応じた条件に従って画像を選択することを特徴とする請求項４から８のいずれか１項に記載の画像処理装置。
【請求項１０】
前記受付手段が前記出力指示を受け付けた場合に、当該出力指示により出力が指示されたファイルに含まれる複数の画像のうち、前記選択手段により選択された画像を前記出力手段に出力させる制御を行うか否かを指定する第１の指定手段を更に備えることを特徴とする請求項１から９のいずれか１項に記載の画像処理装置。
【請求項１１】
前記受付手段が前記出力指示を受け付けた場合に、当該出力指示により出力が指示されたファイルに含まれる複数の画像のうち、前記選択手段により選択された画像を１つのファイルとして前記出力手段に出力させるか、当該出力が指示されたファイルに含まれる複数の画像のうちいずれか１つの画像を１つのファイルとして前記出力手段に出力させるかを指定する第２の指定手段を更に備えることを特徴とする請求項１から１０のいずれか１項に記載の画像処理装置。
【請求項１２】
前記第２の指定手段により、前記出力指示により出力が指示されたファイルに含まれる複数の画像のうちいずれか１つの画像を１つのファイルとして前記出力手段に出力させることが指定された場合に、当該出力が指示されたファイルに含まれる複数の画像をそれぞれ個別のファイルとして前記出力手段に出力させるか、当該出力が指示されたファイルに含まれる複数の画像のうち、予め代表画像として指定されている１つの画像を前記出力手段に出力させるかを指定する第３の指定手段を更に備えることを特徴とする請求項１１に記載の画像処理装置。
【請求項１３】
複数の画像を含む１つのファイルの出力指示をユーザから受け付ける受付工程と、
前記受付工程で前記出力指示を受け付けたことに応じて、当該出力指示により出力が指示されたファイルに含まれる複数の画像のうち少なくとも１つの画像を出力する出力工程と、
前記出力指示により出力が指示されたファイルに含まれる複数の画像のうち、互いに関連する複数の画像を特定し、当該特定した複数の画像の中から少なくとも１つの画像を選択する選択工程と、
前記出力指示により出力が指示されたファイルに含まれる複数の画像のうち、前記選択工程で選択された画像を前記出力工程で出力させる制御工程と、
を備えることを特徴とする画像処理装置の制御方法。
【請求項１４】
画像処理装置の制御方法をコンピュータに実行させるためのプログラムであって、
前記画像処理装置の制御方法は、
複数の画像を含む１つのファイルの出力指示をユーザから受け付ける受付工程と、
前記受付工程で前記出力指示を受け付けたことに応じて、当該出力指示により出力が指示されたファイルに含まれる複数の画像のうち少なくとも１つの画像を出力する出力工程と、
前記出力指示により出力が指示されたファイルに含まれる複数の画像のうち、互いに関連する複数の画像を特定し、当該特定した複数の画像の中から少なくとも１つの画像を選択する選択工程と、
前記出力指示により出力が指示されたファイルに含まれる複数の画像のうち、前記選択工程で選択された画像を前記出力工程で出力させる制御工程と、
を備えることを特徴とするプログラム。
【請求項１５】
前記選択工程では、前記出力指示により出力が指示されたファイルに含まれる各画像の種類に基づいて、互いに関連する複数の画像を特定することを特徴とする請求項１４に記載のプログラム。
【請求項１６】
前記出力工程では、前記選択工程で選択された画像を含み、前記選択工程で選択されなかった画像を含まない、１つのファイルを出力することを特徴とする請求項１４または１５に記載のプログラム。
【請求項１７】
前記選択工程で画像を選択するための条件を設定する設定工程を更に備え、
前記選択工程では、前記互いに関連する複数の画像の中から、前記設定工程で設定された条件に該当する少なくとも１つの画像を選択することを特徴とする請求項１４から１６のいずれか１項に記載のプログラム。
【請求項１８】
前記互いに関連する複数の画像とは、同一内容のカラー画像及びモノクロ画像であって、
前記設定工程では、前記互いに関連する複数の画像の中からモノクロ画像が選択されるようにするための第１の条件を設定することが可能であって、
前記設定工程で前記第１の条件が設定されている場合は、前記選択工程では、前記互いに関連する複数の画像の中からモノクロ画像を選択することを特徴とする請求項１７に記載のプログラム。
【請求項１９】
前記互いに関連する複数の画像とは、内容が同一で解像度が異なる複数の画像であって、
前記設定工程では、前記互いに関連する複数の画像の中から所定の解像度よりも高い解像度の画像が選択されるようにするための第２の条件を設定することが可能であって、
前記設定工程で前記第２の条件が設定されている場合は、前記選択工程では、前記互いに関連する複数の画像の中から前記所定の解像度よりも高い解像度の画像を選択することを特徴とする請求項１７に記載のプログラム。
【請求項２０】
前記互いに関連する複数の画像の中に、前記設定工程で設定された条件に該当する画像が含まれていない場合に、前記選択工程では、前記互いに関連する複数の画像のうち、予め主画像として指定されている１つの画像を選択することを特徴とする請求項１７から１９のいずれか１項に記載のプログラム。
【請求項２１】
前記出力工程における画像の出力先を登録する登録工程を更に備え、
前記設定工程では、前記登録工程で登録されている出力先毎に、前記選択工程で画像を選択するための条件を設定することが可能であって、
前記選択工程では、前記出力指示により出力が指示されたファイルの出力先に応じた条件に従って画像を選択することを特徴とする請求項１７から２０のいずれか１項に記載のプログラム。
【請求項２２】
前記設定工程では、複数の出力方法のそれぞれに対応付けて、前記選択工程で画像を選択するための条件を設定することが可能であって、
前記選択工程では、前記出力指示により出力が指示されたファイルを出力する際に用いられる出力方法に応じた条件に従って画像を選択することを特徴とする請求項１７から２１のいずれか１項に記載のプログラム。
【請求項２３】
前記受付工程で前記出力指示を受け付けた場合に、当該出力指示により出力が指示されたファイルに含まれる複数の画像のうち、前記選択工程で選択された画像を前記出力工程で出力させる制御を行うか否かを指定する第１の指定工程を更に備えることを特徴とする請求項１４から２２のいずれか１項に記載のプログラム。
【請求項２４】
前記受付工程で前記出力指示を受け付けた場合に、当該出力指示により出力が指示されたファイルに含まれる複数の画像のうち、前記選択工程で選択された画像を１つのファイルとして前記出力工程で出力させるか、当該出力が指示されたファイルに含まれる複数の画像のうちいずれか１つの画像を１つのファイルとして前記出力工程で出力させるかを指定する第２の指定工程を更に備えることを特徴とする請求項１４から２３のいずれか１項に記載のプログラム。
【請求項２５】
前記第２の指定工程で、前記出力指示により出力が指示されたファイルに含まれる複数の画像のうちいずれか１つの画像を１つのファイルとして前記出力工程で出力させることが指定された場合に、当該出力が指示されたファイルに含まれる複数の画像をそれぞれ個別のファイルとして前記出力工程で出力させるか、当該出力が指示されたファイルに含まれる複数の画像のうち、予め代表画像として指定されている１つの画像を前記出力工程で出力させるかを指定する第３の指定工程を更に備えることを特徴とする請求項２４に記載のプログラム。
【手続補正２】
【補正対象書類名】明細書
【補正対象項目名】発明の名称
【補正方法】変更
【補正の内容】
【発明の名称】画像処理装置、画像処理装置の制御方法、プログラム
【手続補正３】
【補正対象書類名】明細書
【補正対象項目名】０００１
【補正方法】変更
【補正の内容】
【０００１】
本発明は、複数の画像を含む１つのファイルの出力が指示された場合に、当該１つのファイルに含まれる複数の画像の中から選択された画像を出力する画像処理装置、画像処理装置の制御方法、プログラムに関する。
【手続補正４】
【補正対象書類名】明細書
【補正対象項目名】００１３
【補正方法】変更
【補正の内容】
【００１３】
上記の目的を達成するために本発明の画像処理装置は、複数の画像を含む１つのファイルの出力指示をユーザから受け付ける受付手段と、前記受付手段が前記出力指示を受け付けたことに応じて、当該出力指示により出力が指示されたファイルに含まれる複数の画像のうち少なくとも１つの画像を出力する出力手段と、前記出力指示により出力が指示されたファイルに含まれる複数の画像のうち、互いに関連する複数の画像を特定し、当該特定した複数の画像の中から少なくとも１つの画像を選択する選択手段と、前記出力指示により出力が指示されたファイルに含まれる複数の画像のうち、前記選択手段により選択された画像を前記出力手段に出力させる制御手段と、を備えることを特徴とする。
【手続補正５】
【補正対象書類名】明細書
【補正対象項目名】００１４
【補正方法】変更
【補正の内容】
【００１４】
また、本発明の画像処理装置の制御方法は、複数の画像を含む１つのファイルの出力指示をユーザから受け付ける受付工程と、前記受付工程で前記出力指示を受け付けたことに応じて、当該出力指示により出力が指示されたファイルに含まれる複数の画像のうち少なくとも１つの画像を出力する出力工程と、前記出力指示により出力が指示されたファイルに含まれる複数の画像のうち、互いに関連する複数の画像を特定し、当該特定した複数の画像の中から少なくとも１つの画像を選択する選択工程と、前記出力指示により出力が指示されたファイルに含まれる複数の画像のうち、前記選択工程で選択された画像を前記出力工程で出力させる制御工程と、を備えることを特徴とする。
【手続補正６】
【補正対象書類名】明細書
【補正対象項目名】００１５
【補正方法】変更
【補正の内容】
【００１５】
複数の画像を含む１つのファイルの出力が指示された場合に、当該複数の画像のうち、互いに関連する複数の画像を特定し、当該特定した複数の画像の中から少なくとも１つの画像を選択して出力することにより不要な画像の出力を簡単に防止することができる。